(57)【要約】【課題】紫外線ランプの劣化または破損により紫外線式殺菌及び光触媒クリーナー装置が完全に失効するという技術的問題を解決する、紫外線強度検測表示装置の提供。【解決手段】本発明の紫外線強度検測表示装置は、柱状体、半球状体、片状体または線状体を呈し、少なくともその１つの端面を受光面とし、別の端面が光表示面であり、前記受光面が紫外線を通す物体であり、その内部に紫外線エネルギーを有色の可視光に転化できる物質を含むことを特徴とする。【選択図】図１
2007139765.tif 000002
【特許請求の範囲】
【請求項１】
紫外線強度検測表示装置であって、前記装置が柱状体、半球状体、片状体または線状体を呈し、少なくともその１つの端面を受光面とし、別の端面が光表示面であることを特徴とする、紫外線強度検測表示装置。
【請求項２】
前記受光面後部と光表示面の間に導光体が設けられ、その形状が柱状または湾曲変形が可能な線状体であることを特徴とする、請求項１に記載の紫外線強度検測表示装置。
【請求項３】
前記装置が内部に光線を強化するまたはスペクトルを調整する物質を含むことを特徴とする、請求項１に記載の紫外線強度検測表示装置。
【請求項４】
前記光表示面の周辺または片側に異なる濃度の色を印刷した色比較表を設けたことを特徴とする、請求項１に記載の紫外線強度検測表示装置。
【請求項５】
前記受光面が紫外線を通す物体であり、その内部に紫外線エネルギーを有色の可視光に転化できる物質を含むことを特徴とする、請求項１に記載の紫外線強度検測表示装置。  
【請求項６】
前記受光面内の物質がシリコン及びその派生物、またはポリテトラフルオロエチレン及びその派生物、或いはポリメチルメタクリレート及びその派生物であることを特徴とする、請求項５に記載の紫外線強度検測表示装置。
【請求項７】
前記受光面内の物質が紫外線エネルギーを赤色光に転化できる物質であることを特徴とする、請求項５に記載の紫外線強度検測表示装置。
【請求項８】
前記受光面内の物質が紫外線エネルギーを緑色光に転化できる物質であることを特徴とする、請求項５に記載の紫外線強度検測表示装置。
【請求項９】
前記受光面内の物質が紫外線エネルギーを黄色光に転化できる物質であることを特徴とする、請求項５に記載の紫外線強度検測表示装置。  
【請求項１０】
前記受光面内の物質が蛍光粉であることを特徴とする、請求項５に記載の紫外線強度検測表示装置。
【請求項１１】
前記受光面内の物質が燐であることを特徴とする、請求項５に記載の紫外線強度検測表示装置。
【請求項１２】
前記受光面が中空の立体形状を呈し、その内部に紫外線エネルギーを有色の可視光に転化できる物質を設けたことを特徴とする、請求項１に記載の紫外線強度検測表示装置。
【請求項１３】
前記光表示面の表面に前記光表示面から発せられる可視光を通すまたは阻隔する字体または符合を設けたことを特徴とする、請求項１に記載の紫外線強度検測表示装置。  
【請求項１４】
前記紫外線強度検測表示装置に殼体と接続するための界面を設けたことを特徴とする、請求項１に記載の紫外線強度検測表示装置。
【発明の詳細な説明】
【技術分野】
【０００１】
本発明は紫外線強度検測表示装置に関し、詳細には、紫外線を利用した殺菌及び光触媒クリーナー装置或いは紫外線硬化装置及びあらゆる紫外線を主要な殺菌機能とした装置において紫外線管の交換を提示する装置に関する。
【背景技術】
【０００２】
現有技術において、一般的な紫外線殺菌及び光触媒クリーナー装置或いは紫外線硬化装置及びあらゆる紫外線を主要な殺菌機能とした装置において、紫外線強度の検測及び表示を行なう装置は、電子式センサでデジタル表示を行なう方式では装置の設置が比較的高価であり、且つ、外部電源で動作するものであるため、使用とメンテナンスのどちらをとっても比較的不便である。
【発明の開示】
【発明が解決しようとする課題】
【０００３】
本発明の主な目的は、紫外線ランプの劣化または破損により紫外線式殺菌及び光触媒クリーナー装置が完全に失効するという技術的問題を解決する、紫外線強度検測表示装置を提供することにある。
【課題を解決するための手段】
【０００４】
上述の目的を実現するため、本発明は次の技術を採用する。
【０００５】
本発明の紫外線強度検測表示装置は、柱状体、半球状体、片状体または線状体を呈し、そのいずれかの端面を受光面とし、別の端面を光表示面とする。
【０００６】
本発明の紫外線強度検測表示装置の柱状体或いは片状体の受光面後部と光表示面の間に導光体が設けられ、その形状は柱状或いは湾曲変形が可能な線状体を呈する。
【０００７】
本発明の紫外線強度検測表示装置は内部に光線の強化またはスペクトルの調整が可能な物質を含む。
【０００８】
本発明の紫外線強度検測表示装置の光表示面の周辺または片側に異なる濃度の色を印刷した色比較表を設ける。
【０００９】
本発明の受光面は紫外線を透過する物体であり、その内部に紫外線エネルギーを可視光に転化できる物質を含む。
【００１０】
本発明の紫外線強度検測表示装置の受光面の物質はシリコン及びその派生物、ポリテトラフルオロエチレン及びその派生物或いはポリメチルメタクリレート及びその派生物とする。
【００１１】
本発明の受光面は紫外線を通す物体であり、その内部に紫外線エネルギーを赤色光に転化できる物質を含む。
【００１２】
本発明の受光面は紫外線を通す物体であり、その内部に紫外線エネルギーを緑色光に転化できる物質を含む。
【００１３】
本発明の受光面は紫外線を通す物体であり、その内部に紫外線エネルギーを黄色光に転化できる物質を含む。
【００１４】
本発明の受光面は紫外線を通す物体であり、その内部に有色光を発することができる蛍光粉を含む。
【００１５】
本発明の受光面は紫外線を通す物体であり、その内部に可視光を発することができる燐を含む。
【００１６】
本発明の紫外線強度検測表示装置の中空立体内に紫外線エネルギーを有色の可視光に転化できる物質を含む。
【００１７】
本発明の紫外線強度検測表示装置はその光表示面の表面に指示点から発せられる可視光を通すまたは阻隔する字体或いは符号が設けられる。
【００１８】
本発明の紫外線強度検測表示装置は殼体と接続された界面が設けられる。        
【発明の効果】
【００１９】
本発明と現有技術を比較すると、本発明は紫外線式殺菌及び光触媒クリーナー装置の殼体内に設けた紫外線光表示面が外部電源を必要としない状況下で目に見えない紫外線を有色の可視光に転化することができ、加えて異なる濃度の色を印刷した色比較表で使用者が便利に紫外線の強度を知ることができ、紫外線ランプの劣化や破損により処理器が完全に失効する欠陥を防止することができる。また、殼体と接続された界面が設けられているため、交換に便利である。      
【発明を実施するための最良の形態】
【００２０】
本発明の構造、装置及びその特徴について、より認識と理解を促すため、以下その最良の実施例と図面に基づき詳細に説明する。
【実施例１】
【００２１】
図１に本発明の実施例１の立体図を示す。この実施例においては、紫外線強度検測表示装置は柱体を呈し、その１つの端面が受光面１であり、別の端面が光表示面４であり、この柱体周辺に異なる濃度の色を印刷した色比較表３が設けられ、且つ、前記受光面１後部と光表示面４の間に導光体２が設けられる。前記受光面１、光表示面４と導光体２はそれぞれ独立した個体とするか、統合して一体とした構造とすることができる。
【実施例２】
【００２２】
図２に本発明の実施例２の立体図を示す。この実施例においては、紫外線強度検測表示装置は柱体を呈し、その１つの端面が受光面１であり、別の端面が光表示面４であり、受光面１と光表示面４は相対して接続され、この柱体周辺には異なる濃度の色を印刷した色比較表３が設けられる。      
【実施例３】
【００２３】
図３に本発明の実施例３の立体斜視図を示す。この実施例においては、紫外線強度検測表示装置は片状体を呈し、その１つの端面が受光面１であり、別の端面が光表示面４であり、前記片状体周辺に異なる濃度の色を印刷した色比較表３が設けられる。
【実施例４】
【００２４】
図４に本発明の実施例４の立体図を示す。この実施例においては、紫外線強度検測表示装置は円環状を呈し、この円環体の１つの端面が受光面１であり、別の端面が光表示面４であり、この円環内部に異なる濃度の色を印刷した色比較表３が設けられる。
【００２５】
図５に本発明を紫外線式殺菌及び光触媒液体処理装置中に設置した使用状態を示す立体透視図を示す。紫外線強度検測表示装置は紫外線式光触媒液体処理装置１０殼体の外壁上に設置され、殼体内には紫外線ランプ管１１が設置される。
【００２６】
前記紫外線強度検測表示装置は図５の実施例において、下方向に延伸された導光体２が設けられ、受光面１と光表示面４がそれぞれ接続されると共に、光表示面４周辺の殼体壁面に色比較表３が設けられる。
【００２７】
図６に本発明を紫外線式殺菌及び光触媒気体処理装置内に設置した別の使用状態を示す立体斜視図を示す。紫外線強度検測表示装置は紫外線式気体殺菌装置１０殼体外壁上に設置され、殼体内に紫外線ランプ管１１が設けられ、光表示面４及び色比較表３が殼体外に露出される。
【００２８】
図７-１に本発明の装置を紫外線式殺菌及び光触媒液体処理装置内に設置したさらに別の使用状態を示す立体透視図を示す。
【００２９】
図７-２に図７-１の紫外線強度検測表示装置の平面図を示す。そのうち、光表示面４と受光面１の間には光ファイバ材料で形成された導光体２が設けられる。
【００３０】
図８-１と図８-２に受光面１の構造を示す透視図を示す。中空の円柱体及び球体内にエネルギーを可視光に転化する物質５が設けられ、この物質は蛍光粉を用いることができる。
【００３１】
図９に本発明の装置を紫外線式殺菌及び光触媒液体処理装置内に設置したさらに別の使用状態を示す立体透視図を示す。そのうち受光面１は湾曲可能な光ファイバから成る導光体２と電線を介し、光表示面４を分離して遠端に設置することができる。
【００３２】
上述のように、本発明の紫外線強度検測表示装置的受光面１は、紫外線を通すことができる物体端面であり、その内部に紫外線エネルギーを可視光に転化できる物質５を含み、この受光面１の物質５はシリコン、ポリメチルメタクリレート、ポリテトラフルオロエチレン等及びその派生物とすることができる。受光面１が紫外線を取り込むと、受光面内の物質５が紫外線エネルギーを受け取り反応して色を有する可視光を発し、光表示面４から射出する。また光線を強化するまたはスペクトルを調整する物質を含む導光体２により可視光を光表示面４に導いて射出することもできる。また、異なる濃度の色を印刷した色比較表３により、使用者が紫外線の強度を知ることができ、紫外線ランプの劣化または破損により処理器が完全に失効するのを防止することができる。
【００３３】
図１０-１、１０-２、１０-３、１０-４、１０-５、１０-６に示すように、本発明は紫外線ランプの劣化または破損により引き起こされるシステム失効を効果的に防止することができるため、界面６を設けて殼体の上端または下端と相互に接続し、殼体内の紫外線検測表示装置を便利に交換することができる。この界面６はネジ部７を設けた螺合構造とすることができる。
【００３４】
上述のように、本発明の紫外線強度検測表示装置は紫外線ランプの劣化または破損により引き起こされるシステム失効を確実に防止する機能を有し、実用性と進歩性を祖備えていると共に、また本発明の構造はこの特許出願以前にいかなる刊行物の掲載または公開使用されたことがなく、本発明の構造は特許出願の要件を満たしているため、法に基づきここに特許を出願するものである。
【図面の簡単な説明】
【００３５】
【図１】本発明の実施例１の立体図である。
【図１−１】図１の部材の立体分解図である。
【図１−２】図１の部材の立体分解図である。
【図１−３】図１の部材の立体分解図である。
【図２】本発明の実施例２の立体図である。
【図２−１】図２の部材の立体分解図である。
【図２−２】図２の部材の立体分解図である。
【図２−３】図２の部材の立体分解図である。
【図３】本発明の実施例３の立体斜視図である。
【図３−１】図３の部材の立体分解図である。
【図３−２】図３の部材の立体分解図である。
【図３−３】図３の部材の立体分解図である。
【図４】本発明の実施例４の立体図である。
【図４−１】図４の部材の立体分解図である。
【図４−２】図４の部材の立体分解図である。
【図５】本発明を紫外線式殺菌及び光触媒液体処理装置内に設置した使用状態を示す立体透視図である。
【図６】本発明を紫外線式殺菌及び光触媒気体処理装置内に設置した使用状態を示す立体斜視図である。
【図７−１】本発明を紫外線式殺菌及び光触媒液体処理装置内に設置した使用状態を示す立体透視図である。
【図７−２】図７−１の紫外線強度検測表示装置を示す平面図である。
【図８−１】受光面の実施例を示す立体透視図である。
【図８−２】受光面の別の実施例を示す立体透視図である。
【図９】光ファイバを利用して受光面から光表示面を分離した状態を示す立体図である。
【図１０−１】界面の実施例を示す断面図である。
【図１０−２】図１０−１の界面の実施例を示す正面図である。
【図１０−３】図１０−１の界面の実施例を示す立体図である。
【図１０−４】界面の別の実施例を示す断面図である。
【図１０−５】図１０−４の界面の実施例を示す正面図である。
【図１０−６】図１０−４の界面の実施例を示す立体図である。
【符号の説明】
【００３６】
１        受光面
２        導光体        
３        色比較表
４        光表示面
５        物質
６        界面
７        ネジ部
【図１】
2007139765.tif 000003
【図１−１】
2007139765.tif 000004
【図１−２】
2007139765.tif 000005
【図１−３】
2007139765.tif 000006
【図２】
2007139765.tif 000007
【図２−１】
2007139765.tif 000008
【図２−２】
2007139765.tif 000009
【図２−３】
2007139765.tif 000010
【図３】
2007139765.tif 000011
【図３−１】
2007139765.tif 000012
【図３−２】
2007139765.tif 000013
【図３−３】
2007139765.tif 000014
【図４】
2007139765.tif 000015
【図４−１】
2007139765.tif 000016
【図４−２】
2007139765.tif 000017
【図５】
2007139765.tif 000018
【図６】
2007139765.tif 000019
【図７−１】
2007139765.tif 000020
【図７−２】
2007139765.tif 000021
【図８−１】
2007139765.tif 000022
【図８−２】
2007139765.tif 000023
【図９】
2007139765.tif 000024
【図１０−１】
2007139765.tif 000025
【図１０−２】
2007139765.tif 000026
【図１０−３】
2007139765.tif 000027
【図１０−４】
2007139765.tif 000028
【図１０−５】
2007139765.tif 000029
【図１０−６】
2007139765.tif 000030